(57)【要約】【課題】液晶表示装置において、受光素子を用いることなく、フリッカーを低減させる。【解決手段】液晶素子は、画素電極１１８とコモン電極１０８とにより液晶１０５を挟持した構成である。データ線駆動回路１４０は、画素電極１１８に、正極性電圧と負極性電圧とを時間的に交互に印加する一方、コモン電極駆動回路４０は、コモン電極１０８に、電圧Ｖcomを印加する。制御回路２０は、画素電極１１８に正極性電圧が印加された後にコモン電極１０８に流れる電流のうち当該正極性電圧の印加による瞬時電流を除いた電流と、画素電極１１８に負極性電圧が印加された後にコモン電極１０８に流れる電流のうち当該負極性電圧の印加による瞬時電流を除いた電流と、の差が予め定められた閾値以下になるように、コモン電極駆動回路４０に指示してコモン電圧Ｖcomを制御する。【選択図】図１
2010281934.tif 000002
【特許請求の範囲】
【請求項１】
第１電極と第２電極とにより液晶を挟持した液晶素子と、
前記第１電極に、所定の基準電圧よりも高位側の正極性電圧と低位側の負極性電圧とを
時間的に交互に印加するとともに、前記第２電極に、所定の電圧を印加する駆動回路と、
前記第１電極に前記正極性電圧が印加された後に前記第２電極に流れる電流のうち当該
正極性電圧の印加による瞬時電流を除いた電流と、前記第１電極に前記負極性電圧が印加
された後に前記第２電極に流れる電流のうち当該負極性電圧の印加による瞬時電流を除い
た電流と、の差が予め定められた閾値以下になるように、前記駆動回路によって前記第２
電極に印加される電圧を制御する制御回路と、
を具備することを特徴とする液晶表示装置。
【請求項２】
前記駆動回路は、
前記第１電極に、前記正極性電圧または前記負極性電圧を印加する前に、それぞれ所定
のリセット電圧を印加する
ことを特徴とする請求項１に記載の液晶表示装置。
【請求項３】
前記制御回路は、
当該正極性電圧または前記負極性電圧の印加による瞬時電流を除いた電流を、前記液晶
素子に流れる電流を示す波形のうち、前記正極性電圧または前記負極性電圧が印加された
ときから２番目に現れるピークの波高値で特定する
ことを特徴とする請求項２に記載の液晶表示装置。
【請求項４】
前記制御回路は、
前記第２電極に前記予め定められた電圧を給電する信号線に介挿された抵抗素子と、
前記抵抗素子の両端電圧を検出する検出回路と、
を有し、
前記検出回路によって検出された両端電圧に基づき前記第２電極に流れる電流を特定す
る
ことを特徴とする請求項１に記載の液晶表示装置。
【請求項５】
前記制御回路は、
前記検出回路により検出された両端電圧を濾波するローパスフィルターを有する
ことを特徴とする請求項４に記載の液晶表示装置。
【請求項６】
前記第１電極は、走査線が選択されたときに導通するスイッチング素子を介してデータ
線に接続される画素電極であり、
前記第２電極は、コモン電極であり、
前記駆動回路は、
前記走査線を選択する走査線駆動回路と、
前記選択期間において前記データ線にデータ信号を供給するデータ線駆動回路と、
前記コモン電極に、前記コモン信号を供給するコモン電極駆動回路と、
を含み、
前記制御回路は、前記コモン電極駆動回路に対し、前記コモン信号の電圧の上昇または
下降を指示する
ことを特徴とする請求項１乃至５のいずれかに記載の液晶表示装置。
【請求項７】
前記走査線駆動回路は、
前記走査線を選択した後、当該走査線を非選択として前記スイッチング素子を非導通と
させる
ことを特徴とする請求項６に記載の液晶表示装置。
【請求項８】
前記液晶素子を、表示領域外に配置する
ことを特徴とする請求項１に記載の液晶表示装置。
【請求項９】
第１電極と第２電極とにより液晶を挟持した液晶素子のうち、
前記第１電極に、所定の基準電圧よりも高位側の正極性電圧と低位側の負極性電圧とを
時間的に交互に印加するとともに、前記第２電極に、所定の電圧を印加し、
前記第１電極に前記正極性電圧が印加された後に前記第２電極に流れる電流のうち当該
正極性電圧の印加による瞬時電流を除いた電流と、前記第１電極に前記負極性電圧が印加
された後に前記第２電極に流れる電流のうち当該負極性電圧の印加による瞬時電流を除い
た電流と、の差が予め定められた閾値以下になるように、前記第２電極に印加される電圧
を制御する
ことを特徴とする液晶表示装置の制御方法。
【請求項１０】
請求項１乃至８のいずれかに記載の液晶表示装置を有することを特徴とする電子機器。
【発明の詳細な説明】
【技術分野】
【０００１】
本発明は、液晶表示装置におけるフリッカー等を防止する技術に関する。
【背景技術】
【０００２】
液晶表示装置に用いられる液晶素子は、２つの電極で液晶を挟持する構成となっている
が、液晶に直流成分が印加されると、液晶が劣化してしまう。このため、液晶表示装置で
は、一方の電極への電圧が、他方の電極への電圧に対して高位側および低位側で交互に切
り替える交流駆動が行われる。
このときの電圧実効値の差は、フリッカーとして視認されるので、パネルまたはその近
傍にフォトダイオードなどの受光素子を設けるとともに、透過率（または反射率）との差
が最小になるように、他方の電極への電圧を調整することによって、液晶の劣化等を防止
する技術が知られている（例えば特許文献１参照）。
【先行技術文献】
【特許文献】
【０００３】
【特許文献１】特開平８−２８６１６９号公報（図１）
【発明の概要】
【発明が解決しようとする課題】
【０００４】
しかしながら、受光素子を設けると、表示画像の見易さに悪影響を与えたり、いわゆる
額縁が広くなったりするといった問題のほかに、表示装置内の迷光が受光素子に侵入する
ことによって、透過率を正確に検出することが難しい、といった問題もある。
本発明は、上述した事情に鑑みてなされたもので、その目的の１つは、受光素子などを
用いずに、液晶への直流成分の印加を抑えて、フリッカーを低減することが可能な技術を
提供することにある。
【課題を解決するための手段】
【０００５】
上記目的を達成するために、本発明に係る液晶表示装置は、第１電極と第２電極とによ
り液晶を挟持した液晶素子と、前記第１電極に、所定の基準電圧よりも高位側の正極性電
圧と低位側の負極性電圧とを時間的に交互に印加するとともに、前記第２電極に、所定の
電圧を印加する駆動回路と、前記第１電極に前記正極性電圧が印加された後に前記第２電
極に流れる電流のうち当該正極性電圧の印加による瞬時電流を除いた電流と、前記第１電
極に前記負極性電圧が印加された後に前記第２電極に流れる電流のうち当該負極性電圧の
印加による瞬時電流を除いた電流と、の差が予め定められた閾値以下になるように、前記
駆動回路によって前記第２電極に印加される電圧を制御する制御回路と、を具備すること
を特徴とする。本発明によれば、受光素子等を用いることなく、液晶への直流成分の印加
を抑えて、フリッカーを低減することが可能となる。
【０００６】
本発明において、前記駆動回路は、前記第１電極に、前記正極性電圧または前記負極性
電圧を印加する前に、それぞれ所定のリセット電圧を印加する構成が好ましい。この構成
によれば、正極性または負極性電圧を印加する前の液晶素子の電圧状態が揃えられるので
、より正確に瞬時電流を除いた電流成分を求めることが可能となる。なお、リセット電圧
としては、正極性または負極性電圧を印加したときに、液晶素子をオン方向に導く電圧が
好ましい。
さらに、前記制御回路は、当該正極性電圧または前記負極性電圧の印加による瞬時電流
を除いた電流を、前記液晶素子に流れる電流を示す波形のうち、前記正極性電圧または前
記負極性電圧が印加されたときから２番目に現れるピークの波高値で特定する構成とすれ
ば、制御回路の構成を簡易化等することが可能となる。
また、前記制御回路は、前記第２電極に前記予め定められた電圧を給電する信号線に介
挿された抵抗素子と、前記抵抗素子の両端電圧を検出する検出回路と、を有し、前記検出
回路によって検出された両端電圧に基づき前記第２電極に流れる電流を特定してもよく、
さらに、前記検出回路により検出された両端電圧を濾波するローパスフィルターを有する
構成としてもよい。
【０００７】
一方、本発明において、前記第１電極は、走査線が選択されたときに導通するスイッチ
ング素子を介してデータ線に接続される画素電極であり、前記第２電極は、コモン電極で
あり、前記駆動回路は、前記走査線を選択する走査線駆動回路と、前記選択期間において
前記データ線にデータ信号を供給するデータ線駆動回路と、前記コモン電極に、前記コモ
ン信号を供給するコモン電極駆動回路と、を含み、前記制御回路は、前記コモン電極駆動
回路に対し、コモン信号の電圧の上昇または下降を指示する構成としてもよい。このよう
な構成において、前記走査線駆動回路は、前記走査線を選択した後、当該走査線を非選択
として前記スイッチング素子を非導通とさせれば、スイッチング素子のオフ時における状
態をも考慮して、液晶への直流成分の印加を抑えることが可能となる。
また、前記液晶素子を、表示領域外に配置すれば、コモン電圧を制御する際の電圧書き
込みに基づく表示を視認させないで済む。
なお、本発明は、液晶表示装置に限られず、当該液晶表示装置の制御方法としても、ま
た、当該液晶表示装置を有する電子機器としても概念することが可能である。
【図面の簡単な説明】
【０００８】
【図１】第１実施形態に係る液晶表示装置の構成を示すブロック図である。
【図２】同液晶表示装置における画素の構成を示す図である。
【図３】同液晶表示装置の表示モードにおける動作を示す図である。
【図４】同液晶表示装置の調整モードにおける動作を示す図である。
【図５】同液晶表示装置における演算回路の動作を示すフローチャートである。
【図６】同液晶表示装置におけるコモン電圧Ｖcomの上昇または下降を示す図である。
【図７】第２実施形態に係る液晶表示装置の調整モードにおける動作を示す図である。
【図８】第３実施形態に係る液晶表示装置の構成を示すブロック図である。
【図９】第３実施形態に係る液晶表示装置の動作を示す図である。
【図１０】第４実施形態に係る液晶表示装置の構成を示す図である。
【図１１】実施形態に係る液晶表示装置を適用したプロジェクターを示す図である。
【発明を実施するための形態】
【０００９】
＜第１実施形態＞
まず、この発明の第１実施形態の概略について説明する。
第１電極と第２電極とで液晶を挟時した液晶素子は、焼き付きや劣化を防止するために
、基準電圧よりも高位側の正極性電圧と、低位側の負極性電圧とを第１電極に交互に印加
する一方、第２電極に所定電圧を印加して、交流で駆動する必要がある。このとき、正極
性で電圧を印加・保持する期間と、負極性で電圧を印加・保持する期間とにおいて、液晶
素子の透過率（または反射率）が異なっていると、フリッカー（ちらつき、明滅）として
知覚される。
【００１０】
液晶分子は、第１電極および第２電極の間で生じる電界によって、その傾きが変化し、
これによって、液晶素子を通過する光の偏光状態が規定されて、液晶素子の透過率（また
は反射率）が変化する。液晶は、誘電異方性を有するので、正極性の電圧保持期間と負極
性の電圧保持期間とにおいて、液晶素子の透過率が異なっているということは、液晶分子
の傾きが異なっているということであり、これは、液晶素子の容量が異なっているという
ことにほかならない。
したがって、液晶素子の容量を正極性の電圧保持期間と負極性の電圧保持期間との各々
について、なんらかの方法によって検出するとともに、その検出結果が互いに等しくなる
ように、液晶素子への印加電圧を制御すれば、フリッカーを低減することができるはずで
ある。
ただし、液晶素子の容量を直接的に検出するのは困難であるから、本実施形態では、後
述するように当該液晶素子の容量を、当該液晶素子に流れる電流波形から間接的に求めて
、各極性の容量が同じとみなせる程度に、液晶素子への印加電圧を制御する構成とした。
第１実施形態は、これを具現化したものであり、以下、その詳細について説明する。
【００１１】
図１は、第１実施形態に係る液晶表示装置の全体構成を示すブロック図である。この図
に示されるように、液晶表示装置１０は、制御回路２０、データ信号変換回路３０、コモ
ン電極駆動回路４０、パネル１００、走査線駆動回路１３０、データ線駆動回路１４０を
有する。
【００１２】
この液晶表示装置１０は、図示省略した上位装置から供給される映像信号Ｖidに基づく
表示をパネル１００に行わせる表示モードと、フリッカーを低減させるために液晶素子へ
の印加電圧を調整する調整モードとの２つの動作モードがある。
動作モードは、原則的には表示モードであるが、例外的に例えば電源投入直後・電源遮
断直前のシーケンスにおいて調整モードに移行する、表示モードが所定時間経過したら強
制的に調整モードに移行する、操作子を設けてユーザーが当該操作子を操作したときに調
整モードに移行する、などを想定している。いずれにしても、液晶表示装置１０では、外
部回路や操作子の操作にしたがって指示された動作モードに応じて、制御回路２０（タイ
ミング制御回路２０２）が各部を制御する構成となっている。
【００１３】
説明の便宜上、パネル１００の構成について説明する。パネル１００は、素子基板１０
０ａと対向基板１００ｂとを一定の間隙を保って貼り合わせるとともに、この間隙に液晶
１０５を封入した構成となっている。
素子基板１００ａのうち、対向基板１００ｂとの対向面には、７６８行の走査線１１２
が図において横方向に延在し、また、１０２４列のデータ線１１４が図において縦方向に
延在し、かつ、各走査線１１２と互いに電気的に絶縁を保つように設けられる。なお、走
査線１１２を区別するために、以下の説明では図において上から順に１、２、３、…、７
６８行目という呼び方をする場合がある。同様に、データ線１１４を区別するために、図
において左から順に１、２、３、…、１０２４列目という呼び方をする場合がある。
【００１４】
素子基板１００ａでは、走査線１１２とデータ線１１４との交差のそれぞれに対応して
、スイッチング素子として機能するｎチャネル型の薄膜トランジスター（thin film tran
sistor：以下ＴＦＴと略称する）１１６と、第１電極として機能するとともに、矩形形状
で透明性を有する画素電極１１８との組が設けられている。ＴＦＴ１１６のゲート電極は
走査線１１２に接続され、ソース電極はデータ線１１４に接続され、ドレイン電極が画素
電極１１８に接続されている。
一方、対向基板１００ｂのうち、素子基板１００ａとの対向面には、第２電極として機
能する透明性を有するコモン電極１０８が設けられている。
なお、素子基板１００ａの対向面は、図１において紙面裏側となるので、走査線１１２
、データ線１１４、ＴＦＴ１１６および画素電極１１８は破線で示すべきであるが、見難
くなるので、それぞれ実線で示している。
【００１５】
パネル１００における等価回路は、図２に示される通りとなり、走査線１１２とデータ
線１１４との交差に対応して、画素電極１１８とコモン電極１０８とで液晶１０５を挟持
する液晶素子１２０が設けられることになる。
この液晶素子１２０では、画素電極１１８およびコモン電極１０８の間で電圧が保持さ
れるとともに、両電極間で生じる電界に応じて液晶１０５の分子配向状態が変化する。こ
のため、液晶素子１２０は、透過型であれば、印加・保持した電圧の実効値に応じた透過
率となる。
パネル１００では、液晶素子１２０毎に透過率が変化するので、液晶素子１２０が画素
に相当する。そして、この画素の配列領域が表示領域１０１となる。
なお、図１では省略したが、パネル１００における等価回路では、実際には図２に示さ
れるように、液晶素子１２０と並列に補助容量（蓄積容量）１２５が設けられる。この補
助容量１２５は、一端が画素電極１１８に接続され、他端が容量線１１５に共通接続され
ている。容量線１１５は時間的に一定の所定電圧に保たれている。
【００１６】
ここで、表示モードにおいて、走査線を所定の順番で選択して、選択した走査線１１２
に選択電圧を印加するとともに、選択した走査線１１２に対応する液晶素子１２０に対し
て、目的とする階調に応じた電圧のデータ信号を、データ線１１４を介して供給すると、
選択走査線におけるＴＦＴ１１６がオン状態となり、当該データ信号が、オン状態のＴＦ
Ｔ１１６を介して画素電極１１８に印加される。このため、液晶素子１２０には、画素電
極１１８とコモン電極１０８との差に相当する電圧が印加される。また、走査線に非選択
電圧を印加して、ＴＦＴ１１６がオフ状態になっても、ＴＦＴ１１６がオン状態のときに
液晶素子１２０に印加された電圧は、その容量性によりに保持される。
したがって、選択走査線に位置する液晶素子１２０に、データ線１１４を介して、階調
に応じた電圧のデータ信号を供給することにより、当該画素を目的とする透過率にさせる
ことができる。
なお、本実施形態において、液晶素子１２０は、保持電圧が高くなるにつれて透過率が
大きくなるノーマリーブラックモードとしている。
【００１７】
液晶１０５に直流成分が印加されるのを防止するため、データ信号の電圧は、ビデオ振
幅中心電圧（基準電圧）Ｖcに対して高位側の正極性電圧と低位側の負極性電圧とにフレ
ーム期間毎に交互に切り替えられる。この基準電圧Ｖcは、固定であるのに対し、コモン
電極１０８に印加される電圧Ｖcomは、後述する調整モードによって変化するが、初期段
階では、おおむね同一値である。
また、フレーム期間とは、パネル１００を表示モードで駆動することによって、画像の
１コマ分を表示させるのに要する期間をいい、垂直同期信号で規定される垂直走査周波数
が６０Ｈｚであれば、その逆数である１６．７ミリ秒である。
液晶素子１２０の印加・保持電圧については、画素電極１１８とコモン電極１０８との
電位差とするが、後述する抵抗素子Ｒの両端電圧などのように、特に説明のない限り、電
圧については、図示省略した電源の接地電位を電圧ゼロの基準としている。
なお、表示モードにおいて、１フレーム期間にわたって画素の書込極性を空間的にどの
ような配列させるかについては、本実施形態では、同一フレーム期間にわたって全画素に
対し同一の書込極性が指定されるとともに、書込極性がフレーム期間毎に反転する面反転
方式としている。面反転方式の他にも、走査線毎に反転させる行反転方式、データ線毎に
反転させる列反転方式、走査線およびデータ線方向に対して隣り合う画素毎に反転させる
画素反転方式などあるが、本発明はいずれの反転方式にも適用可能である。
【００１８】
ところで、この液晶表示装置１０には、図示省略した上位装置からデジタルの映像信号
Ｖidが供給される。この映像信号Ｖidは、パネル１００の各画素について明るさ（階調）
をそれぞれ指定するデジタルデータであり、同期信号Ｓync（垂直同期信号、水平同期信
号およびドットクロック信号）にしたがって走査される順番で画素毎に供給される。
データ信号変換回路３０は、タイミング制御回路２０２によって指示されたモードに応
じて、データ信号ｄsを出力するものである。詳細には、データ信号変換回路３０は、表
示モードであれば、デジタルの映像信号Ｖidを、基準電圧Ｖcに対して信号Ｆrpにより指
定される極性のアナログのデータ信号ｄsに変換し、調整モードであれば、映像信号Ｖid
とは無関係に後述する電圧の信号を、データ信号ｄsとして出力する。
【００１９】
コモン電極駆動回路４０は、Ｄ／Ａ変換回路等であり、コモン電圧Ｖcomを、信号線１
０７を介してコモン電極１０８に印加するものである。ここで、コモン電極駆動回路４０
は、コモン電圧Ｖcomを、調整モードであれば、演算回路２１０による指示にしたがって
１ステップずつ上昇または下降させる一方、表示モードであれば、調整モードで最終設定
された電圧に維持するものである。
【００２０】
制御回路２０は、タイミング制御回路２０２、検出回路２０６、Ａ／Ｄ変換回路２０８
、演算回路２１０および抵抗素子Ｒを含む。
このうち、タイミング制御回路２０２は、動作モードに応じて、データ信号変換回路３
０、走査線駆動回路１３０、データ線駆動回路１４０および演算回路２１０の各部をそれ
ぞれ制御するものである。なお、タイミング制御回路２０２による制御内容については動
作で詳述する。
【００２１】
抵抗素子Ｒは、信号線１０７に介挿されている。このため、抵抗素子Ｒの両端には、信
号線１０７に流れる電流に比例した電圧が現れる。
検出回路２０６は、抵抗素子Ｒの両端電圧を検出して増幅するものである。Ａ／Ｄ変換
回路２０８は、検出回路２０６によって検出・増幅された電圧を、デジタルデータに変換
して演算回路２１０に出力するものである。
なお、デジタルデータで示される電圧を、抵抗素子Ｒの抵抗値、および、検出回路２０
６による電圧増幅率でそれぞれ除算すると、信号線１０７に流れた電流値を算出すること
ができるが、本実施形態では、後述するように電流値（電流値を反映する値）同士の差が
閾値以内であるか否かを問題にするので、電流値そのものを算出する必要はない。また、
Ａ／Ｄ変換回路２０８によるサンプリングレート（標本化周波数）は、検出回路２０６に
よって検出・増幅される電圧の変化に対して十分に高く設定されている。
【００２２】
演算回路２１０は、例えばプログラム可能な論理回路などを含み、表示モードでは、な
んら特徴的な動作はしないが、調整モードでは、Ａ／Ｄ変換回路２０８によるデジタルデ
ータから正極性および負極性において流れた電流を解析して、その解析結果にしたがった
指示をコモン電極駆動回路４０に与える。なお、演算回路２１０の動作の詳細についても
後述する。
【００２３】
次に、液晶表示装置の動作について説明する。
ここでは、まず表示モードにおける動作について説明する。表示モードにおいて、タイ
ミング制御回路２０２は、上位装置から供給される同期信号Ｓyncに基づいて各部を制御
する。
詳細には、タイミング制御回路２０２は、表示モードであれば走査線駆動回路１３０に
対し、同期信号Ｓyncによって規定される垂直走査期間（フレーム期間）の開始タイミン
グから、水平走査期間毎に走査線１１２を１行ずつ順番に選択するように制御信号Ｙctに
よって制御する。これにより、走査信号Ｇ1〜Ｇ768は、図３の（ａ）に示されるように水
平走査期間（Ｈ）毎に、順番に排他的に、Ｈレベルに相当する選択電圧ＶＨになる。なお
、走査信号のＬレベルは、非選択電圧ＶＬである。また、同図においてＦaは垂直有効走
査期間であり、同図においてＦbは垂直帰線期間である。
【００２４】
一方、タイミング制御回路２０２は、表示モードであればデータ信号変換回路３０に対
して信号Ｆrpを供給する。ここで、信号Ｆrpは、データ信号ｄsの極性を規定するもので
あり、例えばＨレベルであるときに正極性を指定し、Ｌレベルであるときに負極性を指定
する。本実施形態では、上述したように面反転方式としているので、信号Ｆrpの論理レベ
ルは、フレーム期間毎に反転する。
また、タイミング制御回路２０２は、表示モードであればデータ線駆動回路１４０に対
し、水平走査期間にわたって変換されたデータ信号ｄsを、水平走査期間の開始タイミン
グから、１画素分毎にデータ線１１４に、１、２、３、…、１０２４列の順番でサンプリ
ングするように制御信号Ｘctによって制御する。
【００２５】
映像信号Ｖidは、１行１列〜１行１０２４列、２行１列〜２行１０２４列、３行１列〜
３行１０２４列、…、７６８行１列〜７６８行１０２４列の画素の順番でフレーム期間に
わたって供給される。
ここで、信号ＦrpがＨレベルとなって正極性書込が指定されるフレーム期間において、
１行１列〜１行１０２４列の映像信号Ｖidが供給される水平走査期間では、当該映像信号
Ｖidがデータ信号変換回路３０によって正極性のデータ信号ｄsに変換されるとともに、
当該データ信号ｄsがデータ線駆動回路１４０によって１、２、３、…、１０２４列目の
データ線１１４にデータ信号ｄ1、ｄ2、ｄ3、…、ｄ1024としてサンプリングされる。
一方、当該水平走査期間では、走査線駆動回路１３０によって走査信号Ｇ1だけがＨレ
ベルとなるので、１行目のＴＦＴ１１６がオン状態となる。これにより、データ線１１４
にサンプリングされたデータ信号は、オン状態にあるＴＦＴ１１６を介して画素電極１１
８に印加されるので、１行１列〜１行１０２４列の液晶素子１２０には、それぞれ階調に
応じた電圧が正極性で書き込まれることになる。
【００２６】
次に、２行１列〜２行１０２４列の映像信号Ｖidが供給される水平走査期間では、同様
にして、当該映像信号Ｖidが正極性のデータ信号ｄsに変換されるとともに、当該データ
信号ｄsがデータ線１１４にサンプリングされる。一方、走査信号Ｇ2だけがＨレベルとな
るので、２行目のＴＦＴ１１６がオン状態となる。これにより、データ線１１４にサンプ
リングされたデータ信号が、画素電極１１８に印加されるので、２行１列〜２行１０２４
列の液晶素子１２０には、それぞれ階調に応じた電圧が正極性で書き込まれることになる
。以下同様な書込動作が３、４、…、７６８行目に対して実行される。
次のフレーム期間では、信号ＦrpがＬレベルとなって負極性書込が指定されて、映像信
号Ｖidが負極性のデータ信号ｄsに変換される以外、同様な書込動作が実行される。これ
により、各液晶素子には、それぞれ階調に応じた電圧が負極性で書き込まれることになる
。
表示モードでは、このような電圧書込によって、映像信号Ｖidに応じた画像がパネル１
００によって表示される。
【００２７】
なお、図３の（ｂ）は、列を特定しないで一般的に説明するためｊ（ｊは１以上１０２
４以下を満たす整数）を用いて、ｊ列目のデータ線１１４にサンプリングされるデータ信
号ｄjの電圧変化を示している。本実施形態において液晶素子１２０をノーマリーブラッ
クモードとしているので、例えば走査信号Ｇ1がＨレベルになる水平走査期間において、
データ信号ｄjは、正極性であれば、基準電圧Ｖcに対し、１行ｊ列の階調レベルに応じた
分だけ高位側の電圧（図において↑で示す）になり、負極性であれば、基準電圧Ｖcに対
し、１行ｊ列の階調レベルに応じた分だけ低位側の電圧（図において↓で示す）になる。
また、データ信号の電圧は、正極性が指定されていれば、白色に相当する電圧Ｖw(+)か
ら黒色に相当する電圧Ｖb(+)までの範囲で、一方、負極性が指定されていれば、白色に相
当する電圧Ｖw(-)から黒色に相当する電圧Ｖb(-)までの範囲で、それぞれ基準電圧Ｖcか
ら階調に応じた分だけ偏位させた電圧となる。なお、電圧Ｖw(+)および電圧Ｖw(-)は、電
圧Ｖcを中心に互いに対称の関係にある。電圧Ｖb(+)およびＶb(-)についても同様である
。
図３の（ｂ）におけるデータ信号の電圧の縦スケールは、（ａ）における走査信号等の
電圧波形と比較して拡大してある。
【００２８】
ところで、理想的な液晶表示装置では、正極性および負極性で交互に駆動したときにフ
リッカーは生じないが、実際の液晶表示装置では、コモン電極側および画素電極側の電気
的な特性の差などの様々な要因によってフリッカーが生じてしまう。
フリッカーが生じる原因は、正極性の電圧保持期間における透過率と負極性の電圧保持
期間における透過率とにおいて差が生じているためである。このため、パネルまたはその
近傍に受光素子を設けて、各極性の透過率をそれぞれ検出し、検出した透過率に差が生じ
ないようにする技術も考えられるが、この技術は、背景技術の欄で説明したような理由か
ら採用できない。
一方、液晶素子の透過率が異なっているということは、上述したように、液晶素子の容
量が異なっているということを意味するが、液晶素子の容量を直接的に検出するのは困難
である。
そこで、本実施形態では、次の調整モードにおいて、液晶素子１２０を次のように駆動
して、液晶素子の容量に相当する値を、当該液晶素子に流れる電流波形から間接的に求め
る構成としたのである。
【００２９】
まず、この調整モードについて説明する。
タイミング制御回路２０２は、調整モードであれば、走査線駆動回路１３０に対し、同
期信号Ｓyncとは無関係に、すべての走査線１１２を選択するように制御信号Ｙctによっ
て制御する。これにより、走査信号Ｇ1〜Ｇ768は、図４の（ａ）に示されるように、すべ
てＨレベルに相当する選択電圧ＶＨになる。
一方、調整モードでは、タイミング制御回路２０２は、期間をＴa→Ｔb→Ｔc→Ｔd→（
Ｔa）の順で循環させる。タイミング制御回路２０２は、データ信号変換回路３０に対し
て、期間Ｔa、Ｔb、Ｔc、Ｔdのいずれかであることを示す制御信号Ｔを供給する。データ
信号変換回路３０は、調整モードであれば、映像信号Ｖidとは無関係にデータ信号ｄsの
電圧を、期間Ｔaであれば正極性の中間調電圧Ｖg(+)とし、期間Ｔbであれば電圧Ｖcとし
、期間Ｔcであれば負極性の中間調電圧Ｖg(-)とし、期間Ｔdであれば電圧Ｖcとする。
なお、この調整モードでは、同期信号Ｓyncとは無関係になるから、期間Ｔa〜Ｔdの切
替周波数は、垂直同期周波数（６０Ｈｚ）よりも低周波数であることが好ましい。
【００３０】
タイミング制御回路２０２は、調整モードであれば、データ線駆動回路１４０に対し、
データ信号ｄsを、すべてのデータ線１１４に一括して供給するように制御信号Ｘctによ
って制御する。
このため、データ線駆動回路１４０によるデータ信号ｄ1〜ｄ1024は、図４の（ｂ）に
示されるように、すべてデータ信号ｄsと同じとなり、期間Ｔaでは電圧Ｖg(+)になり、期
間Ｔbでは電圧Ｖcになり、期間Ｔcでは電圧Ｖg(-)になり、期間Ｔdでは電圧Ｖcになって
、以下、期間Ｔa〜Ｔdの波形が繰り返される。
ここで、Ｖg(+)は、白と黒の間の中間階調に相当する正極性の電圧であり、Ｖg(-)は、
同中間階調に相当する負極性の電圧である。
【００３１】
パネル１００では、すべての走査信号Ｇ1〜Ｇ768がＨレベルであるので、全行全列のす
べてのＴＦＴ１１６がオン状態にある。このため、調整モードでは、すべての画素電極１
１８には、データ信号ｄsがそれぞれ一括して印加されることになる。データ信号ｄsは、
図４の（ｂ）に示したように期間Ｔa、Ｔb、Ｔc、Ｔd毎に切り替わるので、画素電極１１
８に印加されるデータ信号の電圧の切り替えに伴って、液晶素子１２０に電流が流れる。
このとき、信号線１０７には、各液晶素子１２０にそれぞれ流れた電流を総和した電流が
流れる。
【００３２】
信号線１０７に流れる総和電流は抵抗素子Ｒによって電圧に変換され、当該電圧は、検
出回路２０６によって検出される。このときに検出される電圧波形（電流波形）は、図４
の（ｃ）に示されるようなものとなっている、と考えられる。その理由について以下詳述
する。
【００３３】
まず、画素電極１１８に印加される電圧が、期間Ｔaの開始タイミングにおいてＶcから
Ｖg(+)に切り替わったとき、液晶素子１２０の印加電圧（当該画素電極に印加された電圧
とコモン電極に印加された電圧との差）は、当該切り替わりに対し瞬時に変化するのに対
し、光学応答である透過率は、図４の（ｄ）に示されるように、駆動電圧の変化に対して
、かなり遅く変化する（透過率が飽和するまで数マイクロ秒程度要する）。すなわち、黒
色に相当する透過率Ｔbから、中間階調に相当する透過率Ｔgまで、積分的に変化する。
次に、液晶素子１２０の容量は、画素電極１１８とコモン電極１０８との間に介在する
誘電体としての液晶の分子配列状態（傾き）によって変化し、この傾きによって、透過率
が決まる。このため、液晶素子１２０の容量は、透過率とほぼ同様な特性で変化する、と
考えられる。
【００３４】
液晶素子１２０の容量が、図４の（ｄ）で示される透過率と同様な特性で変化するので
あれば、液晶素子１２０に流れる電流波形には、図４の（ｃ）に示されるように、期間Ｔ
aの開始タイミングにおいて過渡的に流れる瞬時電流、すなわち、コモン電極１０８から
みて画素電極１１８の電位が高くなる方向に切り替わることに伴う微分波形の第１ピーク
Ａpと、期間Ｔaの開始タイミングからの液晶素子の容量変化（透過率変化とほぼ同特性と
考えられる）に伴う第２ピークＢpとが現れる。
同様に、期間Ｔcの開始タイミングにおいて、電流波形には、コモン電極１０８からみ
て画素電極１１８の電位が低くなる方向に切り替わることに伴う微分波形の第１ピークＡ
mと、期間Ｔcの開始タイミングからの液晶素子の容量変化に伴う第２ピークＢmとが現れ
る。
【００３５】
なお、液晶素子１２０に流れる電流波形には、期間Ｔbの開始タイミングにおいては、
第１ピークＡmのみが現れる。同様に、期間Ｔdの開始タイミングにおいては、第１ピーク
Ａｐのみが現れる。
これは、実施形態において液晶１０５として、印加電圧が絶対値でみて大きい方向（オ
ン方向）に変化するときの光学応答が、小さい方向（オフ方向）へ変化するときの光学応
答よりも遅く、かつ、オフ方向への光学応答は十分に速い性質を持つものを想定している
ので、第２ピークＢp、Ｂmは、オフ方向への変化である期間Ｔb、Ｔdの開始タイミングに
おいて現れない（現れにくい）からである。
【００３６】
ここで、期間Ｔa（Ｔc）において第１ピークＡp（Ａm）を除いた電流波形成分、すなわ
ち図４の（ｃ）においてハッチングで示した成分は、液晶素子１２０の容量変化によって
生じた成分である。液晶素子１２０の容量変化は、透過率の変化であるから、第１ピーク
Ａp（Ａm）を除いた電流波形成分は、透過率の変化を反映したものとなる。
したがって、期間Ｔaにおいて第１ピークＡpを除いた電流波形成分と、期間Ｔcにおい
て第１ピークＡmを除いた電流波形成分とが、一致するようにコモン電圧Ｖcomを調整すれ
ばよいことになる。
ここで、期間Ｔa（Ｔc）において第１ピークＡp（Ａm）を除いた電流波形成分は、第２
ピークＢp（Ｂm）の波高値として反映される。このため、本実施形態では、期間Ｔa（Ｔc
）において第１ピークＡp（Ａm）を除いた電流波形成分を、第２ピークＢp（Ｂm）の波高
値で特定するとともに、特定したこれらの波高値が閾値以内となるように、コモン電圧Ｖ
comを調整する構成とした。
【００３７】
なお、図４の（ｃ）における電流波形（電圧波形）では、ゼロ点が重要となる。ここで
、データ信号ｄsの電圧およびコモン電圧Ｖcomがそれぞれ時間的に一定であれば、信号線
１０７に流れる電流はゼロのはずである。このため、調整モードにおいてデータ信号ｄs
の電圧およびコモン電圧Ｖcomをそれぞれ所定期間だけ一定として、この一定状態におけ
る検出回路２０６の出力値を電流ゼロ点として用いればよい。
【００３８】
また、期間Ｔaにおいて第１ピークＡpを除いた電流波形成分（または波高値）と、期間
Ｔcにおいて第１ピークＡmを除いた電流波形成分（または波高値）とを比較するためには
、液晶素子に電圧を印加する前の条件を揃えた状態が望ましい。このため、本実施形態で
は、画素電極１１８に、正極性の電圧Ｖg(+)を印加する前の期間Ｔd、および、負極性の
電圧Ｖg(-)を印加する前の期間Ｔbにおいて、それぞれリセット電圧として、コモン電極
１０８と等しい電圧Ｖcomを画素電極１１８に印加して、液晶素子１２０の駆動電圧をゼ
ロに揃えることにした。
なお、例えばリセット電圧として、ノーマリーブラックモードの白色に相当する電圧Ｖ
w(+)、Ｖw(-)を画素電極１１８に印加して、液晶素子１２０の印加電圧を高い状態で揃え
てしまうと、変化方向は、光学応答が十分に速いオフ方向になるので、第２ピークが現れ
くくなる。換言すれば、リセット電圧として、液晶素子１２０の印加電圧を小さい状態で
揃える電圧を画素電極１１８に印加すると、オン方向への変化となるので、第２ピークが
特定しやすくなるのである。
この意味において、リセット電圧としては、画素電極１１８に黒色に相当する電圧Ｖb(
+)、Ｖb(-)としてもよい。
【００３９】
さて、検出回路２０６によって検出された電圧（信号線１０７に流れる電流を変換した
電圧）は、Ａ／Ｄ変換回路２０８によってデジタルデータに変換されて、演算回路２１０
に供給される。
演算回路２１０は、概略的には、デジタルデータを時系列に処理して、信号線１０７に
流れる電流波形を電圧波形として解析し、その解析結果に応じて、コモン電極駆動回路４
０に対して、コモン電圧Ｖcomを上昇、下降の指示等をするものである。
このような演算回路２１０の動作について詳細に説明する。
【００４０】
図５は、演算回路２１０による処理動作を示すフローチャートである。
まず、演算回路２１０は、ステップＳ１において、Ａ／Ｄ変換回路２０８によって変換
されたデジタルデータを処理して、タイミング制御回路２０２により通知される期間Ｔa
の開始タイミングから２番目に現れる第２ピークの波高値（第２ピーク値）、すなわち図
４において（＋Ｉaの絶対値に相当する値）を取得する。演算回路２１０は、ステップＳ
２において、同様にして期間Ｔcの開始タイミングから２番目に現れる第２ピークの値（
−Ｉcの絶対値に相当する値）を取得する。
次に、演算回路２１０は、ステップＳ３において、正極性の波高値と負極性の波高値と
は互いに等しいとみなせる範囲内にあるか否か、すなわち、その差が閾値以内である否か
を判別する。
【００４１】
差が閾値以内であれば、現時点におけるコモン電圧Ｖcomが適正であることを意味する
ので、演算回路２１０は、その旨をタイミング制御回路２０２に通知して、処理を終了す
る。これにより、タイミング制御回路２０２は、調整モードを終了して表示モードに復帰
させる（電源遮断を許可する場合もあり得る）。
【００４２】
一方、差が閾値を越えていれば、演算回路２１０は、ステップＳ４において、正極性の
波高値が負極性の波高値よりも大きいか否かを判別する。
正極性の波高値が負極性の波高値よりも大きければ、正極性の電圧Ｖg(+)を画素電極１
１８に印加したことによる透過率が負極性の電圧Ｖg(-)を画素電極１１８に印加したこと
による透過率よりも大きくなっていることを意味し、これはノーマリーブラックモードに
おいて、正極性の電圧実効値が負極性の電圧実効値よりも大きくなっていることを示して
いる。このため、演算回路２１０は、ステップＳ５において、コモン電極駆動回路４０に
対しコモン電圧Ｖcomを１段上昇させる旨を指示する。この指示によって、コモン電極駆
動回路４０は、コモン電圧Ｖcomを、図６において上向きの矢印で示されるように、１段
上昇させるので、正極性の電圧実効値が減少し、負極性の電圧実効値が増加する方向に働
く。
また、ステップＳ４において、正極性の波高値が負極性の波高値以下であれば、すでに
、ステップＳ３において差が閾値以内であることが排除されているので、これは、正極性
の波高値が負極性の波高値よりも小さいこと、すなわち、正極性の電圧実効値が負極性の
電圧実効値よりも小さくなっていることを示している。このため、演算回路２１０は、ス
テップＳ６において、コモン電極駆動回路４０に対しコモン電圧Ｖcomを１段下降させる
旨を指示する。この指示によって、コモン電極駆動回路４０は、コモン電圧Ｖcomを、図
６において下向きの矢印で示されるように、１段下降させるので、正極性の電圧実効値が
増加し、負極性の電圧実効値が減少する方向に働く。
【００４３】
ステップＳ５またはＳ６の指示の後、演算回路２１０は、手順をステップＳ１に戻して
、正極性の波高値と負極性の波高値との差が閾値以内となるまで、ステップＳ１〜Ｓ６の
処理を繰り返し実行する。
したがって、この調整モードが終了するときには、コモン電圧Ｖcomは、正極性の波高
値と負極性の波高値とが絶対値でみて閾値以内とさせる電圧に制御されているので、表示
モードに移行したときにフリッカーが低減していることになる。
【００４４】
本実施形態によれば、コモン電極に流れる電流波形から、期間Ｔaにおける第２ピーク
Ａpの波高値と期間Ｔcにおける第２ピークＡmの波高値とを特定して、両波高値の差が閾
値以内となるようにコモン電圧を制御している。このため、本実施形態では、液晶素子の
透過率や反射率を検出するための受光素子が不要であるだけでなく、パネル１００自体に
ついても従来品がそのまま適用可能である。
また、液晶素子１２０の１個に流れる電流は非常に小さいが、本実施形態では、複数の
液晶素子１２０に流れる電流を総和した波形に基づいて波高値を求めているので、検出精
度を向上させることができる。
【００４５】
なお、本実施形態では、簡易性を優先させていたので、波高値同士を比較したが、上述
したように、期間Ｔa（Ｔc）において第１ピークＡp（Ａm）を除いた電流波形成分が液晶
素子１２０の容量変化によって生じた成分であるから、第１ピークを除いた電流の積分値
同士で比較してもよい。
【００４６】
＜第２実施形態＞
次に、本発明の第２実施形態について説明する。この第２実施形態は、第１実施形態に
おける調整モードにおける走査信号Ｇ1〜Ｇ768を、図７の（ａ）に示される波形とした点
において第１実施形態と相違しているが、他については第１実施形態と同様である。
詳細には、第２実施形態では、調整モードにおいて、走査信号Ｇ1〜Ｇ768を、期間Ｔa
、Ｔb、Ｔc、Ｔbの各開始タイミングから期間ｓだけＨレベルとし、他の期間においてＬ
レベルとしたものである。
上述したように、液晶素子１２０の駆動電圧は、画素電極１１８への電圧に対して瞬時
に変化するので、走査信号が期間ｓだけＨレベルであっても、データ信号の電圧とコモン
信号の電圧との差を液晶素子１２０に保持させるには十分である。
【００４７】
ところで、表示モードにおいて、ＴＦＴ１１６がオン状態からオフ状態に切り替わると
、ゲート電極およびドレイン電極間の寄生容量に起因して、ドレイン電極（画素電極１１
８）の電位が変動する現象（プッシュダウン、突き抜け、フィールドスルーなどと呼ばれ
る）が発生する。なお、ＴＦＴ１１６がｎチャネル型である場合、ドレイン電極の電位変
動方向は、極性に関係なく低位側である。
また、表示モードでは、ＴＦＴ１１６のオフリークに起因して、液晶素子１２０の保持
電圧が変化してしまう傾向が無視できない場合もある。
【００４８】
第１実施形態における調整モードでは、ＴＦＴ１１６が常時オンであったので、期間Ｔ
a、Ｔcにおいて液晶素子１２０に印加される電圧には、プッシュダウンやオフリークの影
響が反映される余地がなかった。これに対して、第２実施形態における調整モードでは、
表示モードと同様にＴＦＴ１１６がオフする段階を設けたので、期間Ｔa、Ｔcにおいて液
晶素子１２０に印加・保持される電圧には、プッシュダウンやオフリークの影響が反映さ
れる。このため、期間Ｔa、Ｔbで検出される電流波形にも、プッシュダウンやオフリーク
の影響が反映される。
したがって、第２実施形態では、プッシュダウンやオフリークの影響が反映された値で
コモン電圧Ｖcomを制御するため、より高精度にフリッカーを低減することが可能となる
。
【００４９】
＜第３実施形態＞
続いて、本発明の第３実施形態について説明する。この第３実施形態は、図８に示され
るように、検出回路２０６の出力信号の低周波数成分だけを通過させるＬＰＦ（low pass
filter）２０７を設けるとともに、走査線駆動回路１３０を、動作モードに応じて区別
せずに、図９の（ａ）に示されるように表示モードと同様に順番に走査線を選択する線順
次駆動としたものである。
このように線順次駆動とした場合、信号線１０７に流れる電流波形（厳密にいえば当該
電流を電圧に変換した波形）は、図９の（ｂ）に示されるような各行での選択による電流
波形を、すなわち、走査信号Ｇ1、Ｇ2、Ｇ3、…、Ｇ768がＨレベルとなったときに現れる
電流波形を、それぞれ重ね合わせたものとなる。この重ね合わせた波形のうち、第１ピー
クに相当する瞬時電流の成分は、周波数が高いので、ＬＰＦ２０７によってカットされる
。このため、ＬＰＦ２０７からは、図９の（ｃ）で示されるように、周波数成分が低い第
２ピークの積分成分だけが出力される。
【００５０】
したがって、演算回路２１０は、ＬＰＦ２０７の出力信号をデジタル変換したデジタル
データから、正極性電圧の印加に伴う第２ピークの積分成分の振幅Ｉpおよび負極性電圧
の印加に伴う第２ピークの積分成分の振幅Ｉmをそれぞれ取得して、当該取得した振幅が
閾値以内となるようにコモン電圧Ｖcomの上昇または下降の指示をすればよい。
これにより、第３実施形態によれば、第１実施形態と同様に、受光素子を用いることな
く、フリッカー成分を低減することができるほか、第１実施形態と比較して、走査線駆動
回路を、動作モードで区別させる必要がなくなり、さらに、波形処理して第２ピーク値を
特定する必要もなくなる。
【００５１】
＜第４実施形態＞
本発明の第４実施形態について説明する。第１（第２および第３）実施形態では、電流
波形を検出する液晶素子１２０を、表示に用いる液晶素子で兼用したが、この第４実施形
態では、表示に用いない（すなわち、検出専用の）液晶素子としたものである。
【００５２】
第４実施形態では、図１０に示されるように、素子基板１００ａの対向面であって、表
示領域１０１の外側には矩形形状の第１電極１１９が設けられ、対向基板１００ｂには、
第１電極１１９に対向するように第２電極１０９が設けられる。
このため、第１電極１１９と第２電極１０９とで液晶１０５を挟時する点において、画
素電極１１８とコモン電極１０８とで液晶１０５を挟時する液晶素子１２０と同様である
。ただし、第１電極１１９と第２電極１０９とで液晶１０５を挟時する液晶素子は、表示
領域１０１の外側にあるため、視認されることはない。
【００５３】
第４実施形態では、電極駆動回路１４２が、タイミング制御回路２０２による制御信号
Ｔにしたがって、第１実施形態の調整モードにおけるデータ信号ｄs（図４の（ｂ）参照
）と同様な信号を第１電極１１９に供給する。また、コモン電極駆動回路４０は、コモン
電圧Ｖcomを、途中で分岐する２つの信号線のうち、一方の信号線を介してコモン電極１
０８に印加し、他方の信号線１０７を介して第２電極１０９に印加する構成となっている
。抵抗素子Ｒは、コモン電圧Ｖcomを第２電極１０９に給電する信号線１０７に介挿され
ている。第４実施形態では、電極駆動回路１４２およびコモン電極駆動回路４０が、第１
電極１１９と第２電極１０９とで液晶１０５を挟時する液晶素子の駆動回路となる。
【００５４】
この第４実施形態では、電流波形を検出するための液晶素子を、表示領域１０１におけ
る液晶素子１２０とは別個に構成したので、表示領域１０１における液晶素子１２０に対
し、映像信号Ｖidに基づく表示動作を行わせつつ、第１電極１１９と第２電極１０９とで
液晶１０５を挟時する液晶素子に対し、電流を検出するための動作を並行して行わせるこ
とが可能である。
このため、第４実施形態では、表示領域１０１における液晶素子１２０が表示動作をし
ていても、視認される画像に影響を与えることなく、演算回路２１０等によるコモン電圧
Ｖcomの制御が可能となる。
したがって、第４実施形態では、受光素子を用いることなく、フリッカー成分を低減す
ることができるという効果を、視認される画像に影響を与えることなく達成することが可
能となる。
【００５５】
なお、各実施形態において、液晶素子１２０は、透過型に限られず反射型であってもよ
いし、ノーマリーブラックモードに限られず、ノーマリーホワイトモードであってもよい
。
【００５６】
＜電子機器＞
次に、上述した実施形態に係る液晶表示装置を用いた電子機器の一例として、パネル１
００をライトバルブとして用いたプロジェクターについて説明する。図１１は、このプロ
ジェクターの構成を示す平面図である。
この図に示されるように、プロジェクター２１００の内部には、ハロゲンランプ等の白
色光源からなるランプユニット２１０２が設けられている。このランプユニット２１０２
から射出された投射光は、内部に配置された３枚のミラー２１０６および２枚のダイクロ
イックミラー２１０８によってＲ（赤）色、Ｇ（緑）色、Ｂ（青）色の３原色に分離され
て、各原色に対応するライトバルブ１００Ｒ、１００Ｇおよび１００Ｂにそれぞれ導かれ
る。なお、Ｂ色の光は、他のＲ色やＧ色と比較すると、光路が長いので、その損失を防ぐ
ために、入射レンズ２１２２、リレーレンズ２１２３および出射レンズ２１２４からなる
リレーレンズ系２１２１を介して導かれる。
【００５７】
このプロジェクター２１００では、パネル１００を含む液晶表示装置が、Ｒ色、Ｇ色、
Ｂ色のそれぞれに対応して３組設けられる。ライトバルブ１００Ｒ、１００Ｇおよび１０
０Ｂの構成は、上述したパネル１００と同様である。Ｒ色、Ｇ色、Ｂ色のそれぞれの原色
成分に対応する映像信号がそれぞれ外部上位回路から供給されて、ライトバルブ１００Ｒ
、１００Ｇおよび１００がそれぞれ駆動される構成となっている。
ライトバルブ１００Ｒ、１００Ｇ、１００Ｂによってそれぞれ変調された光は、ダイク
ロイックプリズム２１１２に３方向から入射する。そして、このダイクロイックプリズム
２１１２において、Ｒ色およびＢ色の光は９０度に屈折する一方、Ｇ色の光は直進する。
したがって、各原色の画像が合成された後、スクリーン２１２０には、投射レンズ２１１
４によってカラー画像が投射されることとなる。
【００５８】
なお、ライトバルブ１００Ｒ、１００Ｇおよび１００Ｂには、ダイクロイックミラー２
１０８によって、Ｒ色、Ｇ色、Ｂ色のそれぞれに対応する光が入射するので、カラーフィ
ルタを設ける必要はない。また、ライトバルブ１００Ｒ、１００Ｂの透過像は、ダイクロ
イックプリズム２１１２により反射した後に投射されるのに対し、ライトバルブ１００Ｇ
の透過像はそのまま投射されるので、ライトバルブ１００Ｒ、１００Ｂによる水平走査方
向は、ライトバルブ１００Ｇによる水平走査方向と逆向きにして、左右を反転させた像を
表示する構成となっている。
【００５９】
電子機器としては、図１１を参照して説明したプロジェクターの他にも、テレビジョン
や、ビューファインダー型・モニタ直視型のビデオテープレコーダー、カーナビゲーショ
ン装置、ページャー、電子手帳、電卓、ワードプロセッサー、ワークステーション、テレ
ビ電話、ＰＯＳ端末、デジタルスチルカメラ、携帯電話機、タッチパネルを備えた機器等
などが挙げられる。そして、これらの各種の電子機器に対して、上記電気光学装置が適用
可能なのは言うまでもない。
【符号の説明】
【００６０】
１０…液晶表示装置、２０…制御回路、３０…データ信号変換回路、４０…コモン電極駆
動回路、１００…パネル、１０１…表示領域、１０８…コモン電極、１１２…走査線、１
１４…データ線、１１６…ＴＦＴ、１１８…画素電極、１２０…液晶素子、１３０…走査
線駆動回路、１４０…データ線駆動回路、２１００…プロジェクター
【図１】
2010281934.tif 000003
【図２】
2010281934.tif 000004
【図３】
2010281934.tif 000005
【図４】
2010281934.tif 000006
【図５】
2010281934.tif 000007
【図６】
2010281934.tif 000008
【図７】
2010281934.tif 000009
【図８】
2010281934.tif 000010
【図９】
2010281934.tif 000011
【図１０】
2010281934.tif 000012
【図１１】
2010281934.tif 000013